(57)【要約】【課題】掛け布団を掛け布団カバーに収納して固定する際、掛け布団カバー内部四隅に装着された紐を、掛け布団四隅に備わるループに結び固定するが、結んだ紐が外れ、掛け布団カバー内部で掛け布団が捩れたり、ループに結んだ紐が固結びになり解けないなどの不具合が生じるため、掛け布団と掛け布団カバーを確り固定でき、且つ掛け布団カバーから掛け布団を取り出す作業が容易に手早くできる掛け布団と掛け布団カバーを固定するバンドの提供。【解決手段】つまみ３を突出させ押圧ボタンの雄５、６を両端に装着したボタン設置部材４と、取付け部１を突出させ押圧ボタンの雌５Ａ、６Ａを両端に装着したボタン設置部材４Ａを折曲部２で連接したバンド７を、掛け布団カバー１０の内部四隅に装着し、掛け布団８の四隅に備わるループ９にバンド７を固着する構成。【選択図】  図５
2004154496.tif 000002
【特許請求の範囲】
【請求項１】
つまみ（３）を突出させ押圧ボタンの雄（５）、（６）を両端に装着したボタン設置部材（４）と、取付け部（１）を突出させ押圧ボタンの雌（５Ａ）、（６Ａ）を両端に装着したボタン設置部材（４Ａ）を折曲部（２）で連接した構成のバンド（７）であり、バンド（７）の取付け部（１）を掛け布団カバー（１０）の内部四隅にそれぞれ装着し、つまみ（３）と連接するボタン設置部材（４）と折曲部（２）までを掛け布団（８）の四隅に備わるループ（９）にそれぞれ通し、折曲部（２）からボタン設置部材（４）と連接するつまみ（３）までを折り返し、折曲部（２）でループ（９）を挟み捲回させ、ボタン設置部材（４）に装着した押圧ボタンの雄（５）、（６）をボタン設置部材（４Ａ）に装着した押圧ボタンの雌（５Ａ）、（６Ａ）に留め固着することで、掛け布団（８）と掛け布団カバー（１０）を容易且つ確り固定できることを特徴とする掛け布団と掛け布団カバーを固定するバンド。
【請求項２】
掛け布団（８）に備わるループ（９）の数に合わせ、掛け布団カバー（１０）の内部四隅以外にもバンド（７）を装着することを特徴とした請求項１に記載の掛け布団と掛け布団カバーを固定するバンド。
【発明の詳細な説明】
【０００１】
【発明の属する技術分野】
本発明は、掛け布団カバー内部に装着して掛け布団に備わるループを固定するバンドに関する。
【０００２】
【従来の技術】
従来、掛け布団カバーに収納した掛け布団を掛け布団カバーに固定する方法は、掛け布団の四隅に備わるループに、掛け布団カバー内部四隅に装着された紐を結び固定する方法がとられている。ループを紐で結び固定することで掛け布団カバーに収納された掛け布団が、掛け布団カバー内部で偏りずれる事態を回避させている。
【０００３】
しかしながら、紐をループに結び掛け布団カバーと掛け布団を固定する作業は大変煩わしく手間取る。また、ループに結んだ紐が外れてしまい掛け布団カバー内部で掛け布団が捩れたりする。さらには、掛け布団カバーから掛け布団を取り外す際などは、ループに結んだ紐が固結びになり解けない、紐が取れて掛け布団カバーの一部が破れるなどのことが多々ある。
【０００４】
【発明の解決しようとする課題】
上記した理由の如く、掛け布団カバーに装着された紐で掛け布団のループを結び固定するのは利便性に欠き不具合が生じる。そこで、掛け布団カバー内部に装着された紐を省き、掛け布団のループを結ばなくとも掛け布団と掛け布団カバーを確り固定でき、且つ容易に手早くループから取り外せる留め具を、掛け布団カバー内部の四隅に装着する必要がある。
【０００５】
【課題を解決するための手段】
掛け布団カバー内部に装着された紐を取り外し、掛け布団のループを固定するバンドを掛け布団カバーの内部に装着した。
【０００６】
請求項１に記載の発明は、つまみ３が突出し押圧ボタンの雄５、６を両端に装着したボタン設置部材４と、取付け部１が突出し押圧ボタンの雌５Ａ、６Ａを両端に装着したボタン設置部材４Ａを折曲部２で連接した構成のバンド７を形成した。この、バンド７を掛け布団カバー１０の内部四隅に各装着する。バンド７は、取付け部１を掛け布団カバー１０の内部四隅に逢着するのみで容易に取付けられ、掛け布団８の四隅に備わる各ループ９に固定できる状態になる。ループ９にバンド７を固定する方法は、つまみ３が連接するボタン設置部材４と折曲部２までを掛け布団８のループ９に通し、折曲部２からボタン設置部材４と連接するつまみ３までを折り返し、折曲部２でループ９を挟み捲回してボタン設置部材４に装着した押圧ボタンの雄５、６をボタン設置部材４Ａに装着した押圧ボタンの雌５Ａ、６Ａに留め固着するのみで、掛け布団８と掛け布団カバー１０が確り固定される。ループ９からバンド７を外す際は、取付け部１または取付け部１周辺を指で押さえ、つまみ３を上方に引き上げれば固着しあう押圧ボタンの雄雌５、５Ａと６、６Ａが外れループ９からバンド７を容易に引き抜ける。
【０００７】
請求項２に記載の発明は、掛け布団８の材質、サイズ等により備わるループ９の数が異なるため、掛け布団カバー１０の内部四隅以外にもバンド７を増加し装着することで多種掛け布団８にも対応できる。
【０００８】
【発明の実施の形態】
発明の実施の形態を実施例にもとづき図面を参照して説明する。
図１、図２に示すように、つまみ３を突出させたボタン設置部材４と、取付け部１を突出させたボタン設置部材４Ａを折曲部２で連接しバンド７を形成している。雄雌対で固着しあう押圧ボタンの雄５、６をボタン設置部材４の両端に装着し、押圧ボタンの雌５Ａ、６Ａをボタン設置部材４Ａの両端に装着してある。この雄雌の押圧ボタン５、５Ａと６、６Ａを固着させると、折曲部２が図２の点線で示したループを形成し保持される。押圧ボタンの雄５、６の中心部には凸部１１を備へ、凸部１１には縦溝１２が形成される。この縦溝１２は、凸部１１を押圧ボタンの雌５Ａ、６Ａの中心部に備えた孔１３へ嵌脱する際に、凸部１１を横に閉じるクッション材の役割を果たすため、凸部１１を孔１３へ嵌入した際は確り固定され、孔１３から凸部１１を外す際は緩やかに外れる構造となっている。
【０００９】
バンド７を形成する材質としては、生地、合成樹脂シート等などの薄地が好ましいが、材質に強度が備わることが必要条件である。また、合成樹脂で形成する雄雌対の押圧ボタン５、６と５Ａ、６Ａをボタン設置部材４、４Ａに装着する方法としては、各種成型機を用いて直接ボタン設置部材４、４Ａに雄雌の押圧ボタンを形成する方法と、形成した雄雌の押圧ボタンをプレス等でボタン設置部材４、４Ａに取付ける方法などがある。さらに、バンド７の取付け部１、つまみ３、折曲部２、ボタン設置部材４、４Ａの間隔幅や大きさ、押圧ボタン雄雌の装着位置、間隔幅等を逸脱しない範囲において、バンド７のデザインを変更することも可能である。
【００１０】
図３に示すように、裏返した掛け布団カバー１０の四隅にバンド７を装着した状態である。掛け布団カバー１０にバンド７の取付け部１を逢着するのみで容易に装着できる。また、掛け布団カバー１０にバンド７を装着する方法は、逢着の他、器具止め等などの方法がある。点線で示したバンド７をさらに掛け布団カバー１０に装着すれば、ループ９が複数備わる掛け布団８にも対応できる。また、従来の掛け布団カバー四隅に備わる紐を外し、バンド７を装着して使用することもできる。
【００１１】
図４に示すように、裏返した掛け布団カバー１０の角に取付け部１を逢着したバンド７を、掛け布団８に備わるループ９へ嵌入した状態である。つまみ３を先端にしてボタン設置部材４と折曲部２までをループ９に通した後、つまみ３を持ち、矢印方向に折り返せば、折曲部２がループ９を覆い挟み、ボタン設置部材４に装着してある押圧ボタンの雄５、６を、ボタン設置部材４Ａに装着した押圧ボタンの雌５Ａ、６Ａに留めれば、図５のようにバンド７をループ９に固着できる。また、つまみ３の先端はループ９に嵌入しやすいよう斜めにカットしたデザインにしてある。
【００１２】
図５に示すように、バンド７をループ９に固着して、掛け布団カバー１０と掛け布団８を固定した際、図４、図５に示したバンド７の破線箇所に、掛け布団８を畳む際の負荷、就寝時の寝相等の負荷が最も掛かるため、雄雌の押圧ボタン５、６と５Ａ、６Ａを破線箇所から最も離れたボタン設置部材４、４Ａの両端に回避させ装着している。そのため、引く力、押す力、捻じる力等の負荷が上下左右からバンド７の破線箇所に加わっても、固着しあう雄雌の押圧ボタン５、５Ａと６、６Ａには最小限の負荷しか作用しない構造であり、ループ９からバンド７が外れない。
【００１３】
【発明の効果】
本発明は、以上説明したように構成されているので、以下に記載されるような効果を奏する。
【００１４】
掛け布団カバーから掛け布団を取り外す際に、掛け布団のループに結んだ掛け布団カバーの紐が、固結びになり解けない、紐が取れ掛け布団カバーの一部が破れるなどの事態を回避できる。
【００１５】
掛け布団が掛け布団カバーに確り固定されるので、掛け布団カバー内部で掛け布団が偏りずれたり、捩れる事態が起きない。
【００１６】
煩わしく手間取った掛け布団と掛け布団カバーの着脱作業が容易に手早くできる。
【図面の簡単な説明】
【図１】請求項１、２に記載の掛け布団と掛け布団カバーを固定するバンドの平面図である。
【図２】請求項１、２に記載の掛け布団と掛け布団カバーを固定するバンドの側面を示す説明図である。
【図３】請求項１、２に記載の掛け布団と掛け布団カバーを固定するバンドを裏返した掛け布団カバーに装着した状態の平面図である。
【図４】請求項１、２に記載の掛け布団と掛け布団カバーを固定するバンドの説明図である。
【図５】請求項１、２に記載の掛け布団と掛け布団カバーを固定するバンドの説明図である。
【符号の説明】
１    取付け部
２    折曲部
３    つまみ
４、４Ａ    ボタン設置部材
５、６    押圧ボタンの雄
５Ａ、６Ａ    押圧ボタンの雌
７    バンド
８    掛け布団
９    ループ
１０    掛け布団カバー
１１    凸部
１２    縦溝
１３    孔
【図１】
2004154496.tif 000003
【図２】
2004154496.tif 000004
【図３】
2004154496.tif 000005
【図４】
2004154496.tif 000006
【図５】
2004154496.tif 000007